(57)【特許請求の範囲】
【請求項１】
同一エリア内に居る複数のユーザのうち、あるユーザが発信した情報を他のユーザ側で表示するために利用される情報表示システムであって、
前記あるユーザが自己に関する情報を発信する際に用いる第一端末と、
前記他のユーザが前記あるユーザに関する情報を表示する際に用いる第二端末と、
前記第一端末から発信された情報を受信し、前記第二端末に向けて情報を送信するサーバと、を備え、
該サーバは、
前記第一端末から受信した前記あるユーザに関する情報のうち、予め指定された個人情報である指定個人情報を記憶する第一記憶部と、
前記第一端末から受信した前記あるユーザに関する情報のうち、前記指定個人情報とは異なる非指定個人情報を記憶する第二記憶部と、を有し、
前記第一記憶部に記憶された前記指定個人情報及び前記第二記憶部に記憶された前記非指定個人情報のうち、前記第二記憶部に記憶された前記非指定個人情報のみを前記第二端末に向けて送信し、
前記第一端末から前記あるユーザに関する情報を受信すると、該情報中、前記第二記憶部に記憶された前記非指定個人情報を、該非指定個人情報と同様の前記非指定個人情報を含む情報を前記第二端末が過去に送信したことがあるときには、該第二端末に向けて自動送信することを特徴とする情報表示システム。
【請求項２】
前記第二記憶部は、前記非指定個人情報として、前記あるユーザが前記第一端末を通じて入力した前記あるユーザの興味に関する情報を記憶することを特徴とする請求項１に記載の情報表示システム。
【請求項３】
前記第二記憶部は、前記非指定個人情報として、前記あるユーザが前記第一端末を通じて入力した前記あるユーザの行動予定又は行動履歴に関する情報を記憶することを特徴とする請求項１に記載の情報表示システム。
【請求項４】
前記第二記憶部は、前記非指定個人情報として、前記あるユーザが前記第一端末を通じて入力した前記あるユーザの関係者に関する情報を記憶することを特徴とする請求項１に記載の情報表示システム。
【請求項５】
前記第一端末から受信した情報のうち、前記第一記憶部に記憶された前記指定個人情報と、前記第二記憶部に記憶された前記非指定個人情報と、は、紐付けられており、
前記サーバは、前記第二端末に向けて送信済みの前記非指定個人情報と紐付けられた前記指定個人情報のうち、前記第一記憶部に記憶し続ける情報を変更することが可能であることを特徴とする請求項１乃至４のいずれか一項に記載の情報表示システム。
【請求項６】
前記サーバは、前記第二端末に向けて送信済みの前記非指定個人情報と紐付けられた前記指定個人情報のうち、前記第一記憶部に記憶し続ける情報から外れた情報を、前記非指定個人情報として前記第二記憶部に記憶することを特徴とする請求項５に記載の情報表示システム。
【請求項７】
同一の集合住宅内にある複数の住戸に住むユーザによって利用されることを特徴とする請求項１乃至６のいずれか一項に記載の情報表示システム。
【請求項８】
前記サーバは、前記第二端末からの情報送信要求を受信すると、前記第二記憶部に記憶された前記非指定個人情報のうち、前記情報送信要求に応じた情報を前記第二端末に向けて送信することを特徴とする請求項１乃至７のいずれか一項に記載の情報表示システム。
【請求項９】
前記第二端末が前記第一端末と対応付けられている場合において、前記サーバは、前記第一端末から前記あるユーザに関する情報を受信すると、該情報中、前記第二記憶部に記憶された前記非指定個人情報を前記第二端末に向けて自動送信することを特徴とする請求項１乃至７のいずれか一項に記載の情報表示システム。
【請求項１０】
同一エリア内に居る複数のユーザのうち、あるユーザが発信した情報を他のユーザ側で表示するための情報表示方法であって、
コンピュータが、前記あるユーザが自己に関する情報を発信する際に用いる第一端末から発信された情報を受信することと、
前記第一端末から受信した前記あるユーザに関する情報のうち、予め指定された個人情報である指定個人情報を、第一記憶部に記憶することと、
前記第一端末から受信した前記あるユーザに関する情報のうち、前記指定個人情報とは異なる非指定個人情報を第二記憶部に記憶することと、
コンピュータが、前記他のユーザが前記あるユーザに関する情報を表示する際に用いる第二端末に向けて、前記第一記憶部に記憶された前記指定個人情報及び前記第二記憶部に記憶された前記非指定個人情報のうち、前記第二記憶部に記憶された前記非指定個人情報のみを送信することと、
コンピュータが、前記第一端末から前記あるユーザに関する情報を受信すると、該情報中、前記第二記憶部に記憶された前記非指定個人情報を、該非指定個人情報と同様の前記非指定個人情報を含む情報を前記第二端末が過去に送信したことがあるときには、該第二端末に向けて自動送信することと、
を有することを特徴とする情報表示方法。
【発明の詳細な説明】
【技術分野】
【０００１】
本発明は、情報表示システム及び情報表示方法に係り、特に、同一エリア内に居る複数のユーザが各自の情報を発信し、当該情報を他のユーザ側で表示するために利用される情報表示システム及び情報表示方法に関する。
【背景技術】
【０００２】
ソーシャル・ネットワーキング・サービス等、情報通信技術を利用して人と人との交流を活性化したりコミュニティ形成を促進したりすることは、既に周知である。すなわち、ユーザが自己に関する情報を発信し、当該情報を他のユーザ側で表示するためのシステム（以下、情報表示システム）は、コミュニケーションツールとして広く利用されている（例えば、特許文献１参照）。
【先行技術文献】
【特許文献】
【０００３】
【特許文献１】特開２００６−２４０６０号公報
【発明の概要】
【発明が解決しようとする課題】
【０００４】
そして、上記の情報表示システムは、比較的近所に居る者同士、具体的には、同一エリア内に居る者同士によるコミュニティ形成を促進する際にも利用可能である。例えば、同一のマンション・アパートに住む住人が上記の情報表示システムを利用すれば、共通の興味を持つ住民同士が知り合い、交流するようになるのをサポートすることが可能となる。以上のように、上記の情報表示システムについては、同一エリア内に居るユーザ同士がコミュニケーションツールとして利用されることが期待されている。
【０００５】
ところで、上記の情報表示システムにおいて、ユーザから発信される情報の中にはプライバシーに関わる情報等の個人情報が含まれることが多い。このため、システム利用に際して、ユーザに発信情報の開示範囲を指定させ、情報の提供範囲を指定された範囲に制限する場合がある。ただし、かかる構成では、ユーザが範囲指定を忘れたり誤指定してしまうと、開示制限が正常に機能せず、このために個人情報が適切に保護されない虞がある。また、所謂「なりすまし」等の不正なアカウント取得により、上記の開示制限が回避されてしまう可能性もある。
【０００６】
一方、特許文献１に記載された技術によると、ユーザが発信する情報、及び、情報の取得要求を送った相手ユーザのそれぞれについて公開レベルを設定し、双方の公開レベルを参照し、相手ユーザの公開レベルに適合する公開レベルの情報を送信することになっている。ただし、上記の構成では、ユーザが発信する情報、及び、情報の取得要求を送った相手ユーザのそれぞれについて公開レベルを設定し、情報送信の際には公開レベルの参照を行う必要があるので、利便性に欠けてしまうところがある。
【０００７】
そこで、本発明は、上記の課題に鑑みてなされたものであり、その目的とするところは、同一エリア内に居るユーザ同士がコミュニケーションツールとして利用する情報表示システムとして、非開示とすべき個人情報を的確に保護しつつ、それ以外の情報については円滑に配信することが可能なシステムを提供することである。同様に、本発明の他の目的は、同一エリア内に居るユーザ同士が互いの情報を送信・確認するときに適用する情報表示方法として、非開示とすべき個人情報を的確に保護しつつ、それ以外の情報については円滑に配信することが可能な方法を提供することである。
【課題を解決するための手段】
【０００８】
前記課題は、本発明の情報表示システムによれば、同一エリア内に居る複数のユーザのうち、あるユーザが発信した情報を他のユーザ側で表示するために利用される情報表示システムであって、前記あるユーザが自己に関する情報を発信する際に用いる第一端末と、前記他のユーザが前記あるユーザに関する情報を表示する際に用いる第二端末と、前記第一端末から発信された情報を受信し、前記第二端末に向けて情報を送信するサーバと、を備え、該サーバは、前記第一端末から受信した前記あるユーザに関する情報のうち、予め指定された個人情報である指定個人情報を記憶する第一記憶部と、前記第一端末から受信した前記あるユーザに関する情報のうち、前記指定個人情報とは異なる非指定個人情報を記憶する第二記憶部と、を有し、前記第一記憶部に記憶された前記指定個人情報及び前記第二記憶部に記憶された前記非指定個人情報のうち、前記第二記憶部に記憶された前記非指定個人情報のみを前記第二端末に向けて送信し、前記第一端末から前記あるユーザに関する情報を受信すると、該情報中、前記第二記憶部に記憶された前記非指定個人情報を、該非指定個人情報と同様の前記非指定個人情報を含む情報を前記第二端末が過去に送信したことがあるときには、該第二端末に向けて自動送信することにより解決される。
【０００９】
上記の情報表示システムでは、同一エリア内に居る複数のユーザのうち、あるユーザが第一端末を通じて発信した情報のうち、指定個人情報が第一記憶部に記憶され、それ以外の情報（非指定個人情報）が第二記憶部に記憶される。また、第一記憶部に記憶された指定個人情報、及び、第二記憶部に記憶された非指定個人情報のうち、後者の情報（非指定個人情報）のみが他のユーザ側へ送信される。このように本発明の情報表示システムでは、非開示とすべき指定個人情報と、それ以外の情報とが物理的に分かれた状態で記憶されており、指定個人情報を記憶している第一記憶部へのアクセスが制限されている。この結果、非開示とすべき個人情報を的確に保護しつつ、それ以外の情報（非指定個人情報）については円滑に配信することが可能となる。
また上記の構成では、サーバが、あるユーザに関する情報を第一端末から受信すると、当該情報中の非指定個人情報を、これと同じ非指定個人情報を含む情報を過去に送信したことがある第二端末に向けて自動送信する。これにより、共通の関心を持つユーザの間での交流を促進させることが可能となる。
【００１０】
また、上記の情報表示システムにおいて、前記第二記憶部は、前記非指定個人情報として、前記あるユーザが前記第一端末を通じて入力した前記あるユーザの興味に関する情報を記憶するとよい。あるいは、上記の情報表示システムにおいて、前記第二記憶部は、前記非指定個人情報として、前記あるユーザが前記第一端末を通じて入力した前記あるユーザの行動予定又は行動履歴に関する情報を記憶するとよい。あるいは、上記の情報表示システムにおいて、前記第二記憶部は、前記非指定個人情報として、前記あるユーザが前記第一端末を通じて入力した前記あるユーザの関係者に関する情報を記憶するとよい。
上記の構成によれば、各ユーザが関心を持つ内容に関する情報が配信されるため、共通の関心を持つユーザとの間で情報交換等の交流を図ることが可能となる。すなわち、上記の構成により、本発明の情報表示システムは、共通の関心を持つユーザ同士の間を取り持つマッチングシステムとして機能するようになる。
【００１１】
また、上記の情報表示システムにおいて、前記第一端末から受信した情報のうち、前記第一記憶部に記憶された前記指定個人情報と、前記第二記憶部に記憶された前記非指定個人情報と、は、紐付けられており、前記サーバは、前記第二端末に向けて送信済みの前記非指定個人情報と紐付けられた前記指定個人情報のうち、前記第一記憶部に記憶し続ける情報を変更することが可能であると尚よい。
上記の構成では、第二端末に向けて送信された非指定個人情報と紐付けられている指定個人情報のうち、第一記憶部に記憶し続ける情報を変更することが可能である。つまり、非開示とすべき個人情報のうち、既に送信済みの非指定個人情報と紐付けられている情報については、非開示の範囲を状況に応じて変えることが可能となる。このように個人情報のうち、既に送信済みの非指定個人情報と紐付けられている情報について非開示の範囲が変更可能となれば、コミュニティ形成の促進を図る上でより使い勝手のよいシステムが実現されることになる。
【００１２】
また、上記の情報表示システムにおいて、前記サーバは、前記第二端末に向けて送信済みの前記非指定個人情報と紐付けられた前記指定個人情報のうち、前記第一記憶部に記憶し続ける情報から外れた情報を、前記非指定個人情報として前記第二記憶部に記憶すると更によい。
上記の構成では、第二端末に向けて送信された非指定個人情報と紐付けられている指定個人情報のうち、第一記憶部に記憶し続ける情報から外れた情報を、非指定個人情報として第二記憶部に記憶する。つまり、非開示とする個人情報の範囲を変更した際に当該範囲から外れた情報については、開示可能な情報として第二記憶部に記憶されるようになる。これにより、当初は非開示とされていた個人情報の一部が開示されるようになるため、ユーザが、自分と同じ属性（家族構成や年齢等）にあり共通の関心を持つ相手を容易に見つけることが可能となる。
【００１３】
また、上記の情報表示システムについて、同一の集合住宅内にある複数の住戸に住むユーザによって利用されることとしてもよい。
上記の構成のように同一のマンションやアパートに住むユーザによって利用されることで、当該マンションやアパート内でのコミュニティ形成の促進やユーザ同士の交流の活性化に本発明の情報表示システムが寄与するようになる。
【００１４】
また、上記の情報表示システムにおいて、前記サーバは、前記第二端末からの情報送信要求を受信すると、前記第二記憶部に記憶された前記非指定個人情報のうち、前記情報送信要求に応じた情報を前記第二端末に向けて送信してもよい。
上記の構成では、サーバが、第二端末からの情報送信要求を受信することをトリガーとして、当該情報送信要求に応じた情報（非指定個人情報）を送信するようになる。これにより、ユーザが希望するタイミングにて、ユーザが希望する内容の情報を配信することが可能となる。
【００１６】
また、上記の情報表示システムにおいて、前記サーバは、記第一端末から前記あるユーザに関する情報を受信すると、該情報中、前記第二記憶部に記憶された前記非指定個人情報を、該非指定個人情報と同様の前記非指定個人情報を含む情報を過去に送信したことがある前記第二端末に向けて自動送信してもよい。
上記の構成では、サーバが、あるユーザに関する情報を第一端末から受信すると、当該情報中の非指定個人情報を、これと同じ非指定個人情報を含む情報を過去に送信したことがある第二端末に向けて自動送信する。これにより、共通の関心を持つユーザの間での交流を促進させることが可能となる。
【００１７】
また、前述した課題は、本発明の情報表示方法によれば、同一エリア内に居る複数のユーザのうち、あるユーザが発信した情報を他のユーザ側で表示するための情報表示方法であって、（Ａ）コンピュータが、前記あるユーザが自己に関する情報を発信する際に用いる第一端末から発信された情報を受信することと、（Ｂ）前記第一端末から受信した前記あるユーザに関する情報のうち、予め指定された個人情報である指定個人情報を、第一記憶部に記憶することと、（Ｃ）前記第一端末から受信した前記あるユーザに関する情報のうち、前記指定個人情報とは異なる非指定個人情報を第二記憶部に記憶することと、（Ｄ）コンピュータが、前記他のユーザが前記あるユーザに関する情報を表示する際に用いる第二端末に向けて、前記第一記憶部に記憶された前記指定個人情報及び前記第二記憶部に記憶された前記非指定個人情報のうち、前記第二記憶部に記憶された前記非指定個人情報のみを送信することと、（Ｅ）コンピュータが、前記第一端末から前記あるユーザに関する情報を受信すると、該情報中、前記第二記憶部に記憶された前記非指定個人情報を、該非指定個人情報と同様の前記非指定個人情報を含む情報を前記第二端末が過去に送信したことがあるときには、該第二端末に向けて自動送信することと、を有することにより解決される。
上記の方法によれば、同一エリア内に居る複数のユーザが配信した各情報について、非開示とすべき指定個人情報と、それ以外の情報とを物理的に分かれた状態で記憶し、さらに、指定個人情報を記憶している第一記憶部へのアクセスを制限する。これにより、非開示とすべき個人情報を的確に保護しつつ、それ以外の情報（非指定個人情報）については円滑に配信することが可能となる。
また上記の方法では、コンピュータが、あるユーザに関する情報を第一端末から受信すると、当該情報中の非指定個人情報を、これと同じ非指定個人情報を含む情報を過去に送信したことがある第二端末に向けて自動送信する。これにより、共通の関心を持つユーザの間での交流を促進させることが可能となる。
【発明の効果】
【００１８】
本発明の情報表示システム及び情報表示方法によれば、同一エリア内に居る複数のユーザが配信した各情報について、非開示とすべき個人情報を的確に保護しつつ、それ以外の情報（非指定個人情報）については円滑に配信することが可能となる。これにより、同一エリア内に居るユーザ同士が、プライベートな情報（個人特定用の情報）等を隠しつつ情報交換を行うことが可能となり、ユーザ同士の交流の活性化やコミュニティ形成の促進を図ることが可能となる。
【図面の簡単な説明】
【００１９】
【図１】本発明の一実施形態に係る情報表示システムの全体構成図である。
【図２】ユーザが発信する情報の構成に関する説明図である。
【図３】サーバのハードウェア構成を示したブロック図である。
【図４】サーバ中の情報記憶領域と記憶される情報の種類との関係を示した図である。
【図５】サーバの構成を機能面から示した図である。
【図６】第一記憶部及び第二記憶部の各々に記憶される情報が段階的に変化する状況を示した図である。
【図７】情報表示フローの流れを示した図である。
【発明を実施するための形態】
【００２０】
以下、本発明の一実施形態（以下、本実施形態）について図面を参照しながら説明する。なお、以下に説明する実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００２１】
＜＜本実施形態に係る情報表示システムの構成＞＞
本実施形態に係る情報表示システム（以下、本システムＳ）は、同一エリア内に居る複数のユーザがコミュニケーションツールとして利用するものである。より具体的に説明すると、本システムＳは、同一の集合住宅内にある複数の住戸に住むユーザによって利用されるものである。本システムＳを通じて、各ユーザは、自己に関する情報を発信し、また、当該情報は、他のユーザ側で表示されるようになる。ここで、集合住宅とは、同一敷地内に建てられた建物内に複数の住戸が存在するものであり、具体的には、マンションやアパート、あるいはタウンハウス（長屋）のことである。つまり、本システムＳは、マンションやアパートの住民同士の交流を活性化させ、若しくは住民同士によるコミュニティ形成を促進することを目的として利用されるものである。
【００２２】
なお、本実施形態では、システム利用対象を同一のマンションやアパートに住む住人としているが、これに限定されるものではない。例えば、同一町内・市内・県内にある住宅の住民が本発明の情報表示システムを利用してもよい。また、「ユーザ」には、個人の他に企業（法人）や団体等が含まれていてもよい。
【００２３】
次に、本システムＳの全体構成について図１を参照しながら説明する。図１は、本システムＳの全体構成を示した図である。なお、図１では、ユーザ端末２の台数を４台としているが、当然ながらこれに限定されるものではなく、任意の台数に設定可能である。
【００２４】
本システムＳは、図１に示すように、サーバとしてのコモンサーバ１と、ユーザが使用する端末としてのユーザ端末２と、を主な構成要素として有する。また、コモンサーバ１と各ユーザ端末２とは、通信ネットワーク３を介して通信可能に接続されている。なお、本システムＳにおける通信ネットワーク３は、集合住宅内に構築されたＬＡＮである。ただし、ネットワークの種類については特に制限されるものではなく、インターネットやモバイル回線であってもよい。
【００２５】
ユーザ端末２は、各ユーザが自宅で利用するものであり、本システムＳを利用するための専用プログラム（以下、情報投稿閲覧プログラム）がインストールされている。情報閲覧投稿プログラムを起動することにより、ユーザは、ユーザ端末２を通じて、自己に関する情報を投稿すると共に、他人が投稿した情報（以下、投稿情報）を表示することが可能である。
【００２６】
本システムＳにおけるユーザ端末２は、通信機能、音声発生機能及び音声認識機能を備えたコミュニケーションロボット（以下、単にロボットという）によって構成される。すなわち、本実施形態に係るユーザ端末２を構成するロボットは、ユーザの発話内容を認識してデジタル情報に変換した上で、当該テキスト情報をコモンサーバ１に送信する。また、上記のロボットは、通信ネットワーク３を介してコモンサーバ１から受信した情報を解析し、その情報の内容を音声表示する。以上の機能は、ユーザ端末２内蔵のコンピュータ（具体的にはＭＰＵ）が上記の情報投稿閲覧プログラムを実行することで実現される。
【００２７】
なお、ユーザ端末２については、ロボットに限定されるものではなく、通信機能及びブラウジング機能を備えたコンピュータ、携帯電話、スマートフォン、ＰＤＡ（Ｐｅｒｓｏｎａｌ Ｄｉｇｉｔａｌ Ａｓｓｉｓｔａｎｔ）若しくはホームサーバであってもよい。また、本実施形態では、ユーザ端末２が情報を表示する際に音声にて表示することとしたが、文字や画像等をディスプレイに表示するものであってもよい。また、本実施形態では、一台のユーザ端末２が投稿情報を発信する端末、及び、投稿情報を表示する端末の双方を兼ねているが、当該２つの端末が分かれた状態で個別に設けられていてもよい。
【００２８】
ここで、ユーザがユーザ端末２を通じて発信する情報、すなわち、投稿情報について図２を参照しながら説明する。図２は、投稿情報に関する構成例を示した図である。なお、図２に示す投稿情報の構成は、あくまで一例に過ぎず、同図に図示した情報以外の情報が投稿情報中に含まれていてもよい。
【００２９】
投稿情報は、図２に示すように複数の要素情報を含んでいる。本実施形態では、コメント本文（以下、情報Ｍ１）と、情報識別情報（以下、情報Ｍ２）と、端末識別情報(以下、情報Ｍ３)と、氏名情報（以下、情報Ｍ４）と、年齢性別情報（以下、情報Ｍ５）と、家族構成情報（以下、情報Ｍ６）と、を含んでいる。
【００３０】
情報Ｍ１は、ユーザ端末２を通じて入力した（換言すると、ユーザ端末２がユーザから受け付けた）ユーザの発話内容を示すものであり、具体的には下記（ａ）〜（ｃ）のうちの少なくとも一つに関する情報を含む。
（ａ）ユーザの興味に関する情報
（ｂ）ユーザの行動予定又は行動履歴に関する情報
（ｃ）ユーザの関係者に関する情報
【００３１】
ここで、「ユーザの興味に関する情報」としては、例えば、ユーザの趣味や関心を持っている話題、ユーザの身辺で起こった出来事及びこれらに関する副次的な内容等が該当する。また、「ユーザの行動予定又は行動履歴に関する情報」としては、例えばユーザが出かける場所、ユーザが参加するイベント、ユーザが行う行為、ユーザの経験等の内容が該当する。また、「ユーザの関係者に関する情報」としては、例えばユーザの家族、親戚、友人、知人等に関する情報（具体的には、関係者の仕事や勤務先若しくは通っている学校、関係者に起きた出来事、関係者が参加したイベントに関する情報等）が該当する。
【００３２】
情報Ｍ２は、投稿情報を識別（特定）するために投稿情報毎に付与される情報である。情報Ｍ３は、ユーザ端末２を識別（特定）するためにユーザ端末２毎に付与される情報である。情報Ｍ４は、ユーザの氏名、より厳密には、本システムＳを利用するに際してユーザがユーザ端末２を通じて予め登録した氏名を示す情報である。情報Ｍ５は、ユーザの年齢及び性別、より厳密には、本システムＳを利用するに際してユーザがユーザ端末２を通じて予め登録した年齢及び性別を示す情報である。情報Ｍ６は、ユーザの家族構成、より厳密には、本システムＳを利用するに際してユーザがユーザ端末２を通じて予め登録した家族構成を示す情報である。
【００３３】
上述した情報Ｍ２〜Ｍ６は、ユーザ端末２が投稿情報を発信するにあたって自動的に生成され、情報Ｍ１とセットにされて投稿情報として情報Ｍ１と共に発信される。また、情報Ｍ３〜Ｍ６は、ユーザの個人情報に該当する情報である。すなわち、投稿情報は、ユーザの個人情報を含んだ状態で発信されることになる。ここで、個人情報とは、個人を特定するための情報を意味する。
【００３４】
さらに、本実施形態において、情報Ｍ３〜Ｍ６は、投稿情報の中で非開示情報として指定された個人情報（以下、指定個人情報）に相当する。具体的に説明すると、本実施形態では、ユーザ端末２が自動的に生成する情報のうち、個人情報に相当する情報（すなわち、情報Ｍ３〜Ｍ６）が予め指定個人情報として指定されている。なお、指定個人情報として指定される情報については、情報Ｍ３〜Ｍ６に限られず、これらの一部であってもよい。また、指定個人情報の指定要領についても特に制限されるものではなく、任意の要領にて指定することが可能である。
【００３５】
コモンサーバ１は、各ユーザ端末２から発信された投稿情報を受信し、受信した情報を記憶（蓄積）する。また、コモンサーバ１は、投稿された情報を、その投稿者であるユーザとは異なるユーザのユーザ端末２に向けて送信する。より厳密に説明すると、コモンサーバ１は、投稿情報のうち、非開示情報として指定された個人情報（すなわち、指定個人情報）を除いた情報をユーザ端末２に送信する。
【００３６】
コモンサーバ１の構成について説明すると、コモンサーバ１は、通常のサーバコンピュータからなり、図３に示すようにＣＰＵ１ａ、ＲＯＭやＲＡＭ等のメモリ１ｂ、ハードディスクドライブ１ｃ（図３中、ＨＤＤと表記）、及び通信用インタフェース１ｄ（図３中、通信用Ｉ／Ｆと表記）を有する。図３は、コモンサーバ１のハードウェア構成を示したブロック図である。
【００３７】
また、メモリ１ｂには、情報配信用のプログラム（以下、情報配信プログラム）が格納されている。この情報配信プログラムがＣＰＵ１ａによって実行されることで、コモンサーバ１は、その機能を発揮するようになる。また、上記ハードディスクドライブ１ｃには、各ユーザ端末２から受信した投稿情報が記憶されている。そして、本実施形態では、図４に示すように、投稿情報中、指定個人情報と、それ以外の情報（以下、非指定個人情報）とが分かれた状態で記憶されている。図４は、コモンサーバ１中の情報記憶領域と記憶される情報の種類との関係を示した図である。
【００３８】
より詳しく説明すると、コモンサーバ１があるユーザのユーザ端末２から投稿情報Ｘ１を受信したケースを想定したとき、当該投稿情報Ｘ１のうち、指定個人情報は、ハードディスクドライブ１ｃにおける第一の記憶領域（図４中、記号Ｒ１にて表記された領域）に記憶される。一方、上記投稿情報Ｘ１のうち、非指定個人情報は、ハードディスクドライブ１ｃにおいて第一の記憶領域とは異なる領域、すなわち、第二の記憶領域（図４中、記号Ｒ２にて表記された領域）に記憶される。このように本実施形態では、投稿情報Ｘ１のうち、非開示とすべき指定個人情報と、それ以外の情報とが物理的に分かれた状態で記憶されることになっている。
【００３９】
そして、コモンサーバ１は、他のユーザのユーザ端末２に向けて情報を送信する際には、投稿情報Ｘ１のうち、非指定個人情報のみを送信し、指定個人情報については送信しない。換言すると、本実施形態では、指定個人情報が記憶されている記憶領域（具体的には、第一の記憶領域）へのアクセスが制限されている。これにより、非開示とすべき個人情報を的確に保護しつつ、それ以外の情報（非指定個人情報）については円滑に配信することが可能となる。特に、本実施形態では、指定個人情報がユーザ端末２側で予め指定されている。このため、ユーザが範囲指定を忘れたり誤指定することで開示制限が正常に機能しなくなる状況を未然に回避することが可能である。また、指定個人情報が記憶されている記憶領域へのアクセスが制限されているため、所謂「なりすまし」等のように不正な手段でアカウントを取得したとしても、指定個人情報の表示（閲覧）が確実に制限されることとなる。
【００４０】
次に、先に説明したコモンサーバ１の構成について、機能面から改めて説明することとする。なお、以下では、説明を分かり易くするために、同一マンション内に住む複数のユーザのうち、あるユーザ（以下、Ａさん）のユーザ端末２から投稿情報を発信し、他のユーザ（以下、Ｂさん）のユーザ端末２側で情報を表示するケースを例に挙げて説明する。ここで、Ａさんのユーザ端末２は、本発明の「第一端末」に相当し、Ｂさんのユーザ端末２は、本発明の「第二端末」に相当する。
【００４１】
コモンサーバ１の機能は、コモンサーバ１が有する図５に図示のデータ処理部、すなわち、情報受信部１１、情報仕分部１２、第一記憶部１３、第二記憶部１４、情報送信部１５及び変更部１６を有する。これらのデータ処理部は、コモンサーバ１が有するハードウェア機器（具体的には、ＣＰＵ１ａ、メモリ１ｂ、ハードディスクドライブ１ｃ及び通信用インタフェース１ｄ）がソフトウェアとしての情報配信プログラムと協働することにより実現される。なお、図５は、コモンサーバ１の構成を機能面から示した図である。
【００４２】
情報受信部１１は、Ａさんのユーザ端末２から発信された投稿情報を、通信ネットワーク３経由で受信する。情報仕分部１２は、情報受信部１１が受信した投稿情報のうち、指定個人情報と非指定個人情報とに仕分けする。ここで、具体的に説明すると、情報仕分部１２は、投稿情報のうち、情報Ｍ３〜Ｍ６を指定個人情報として扱い、情報Ｍ１を非指定個人情報として扱う。なお、特定情報のうち、情報Ｍ２（すなわち、情報識別情報）については、指定個人情報と非指定個人情報とを紐付けるために用いられるキー情報として扱われる。
【００４３】
第一記憶部１３は、情報仕分部１２によって仕分けられた情報中、指定個人情報に相当する情報Ｍ３〜Ｍ６と、キー情報に相当する情報Ｍ２とを記憶する。ちなみに、第一記憶部１３の実体は、ハードディスクドライブ１ｃにおける第一の記憶領域である。
【００４４】
第二記憶部１４は、情報仕分部１２によって仕分けられた情報中、非指定個人情報に相当する情報Ｍ１と、キー情報に相当する情報Ｍ２とを記憶する。ちなみに、第二記憶部１４の実体は、ハードディスクドライブ１ｃにおける第二の記憶領域（第一の記憶領域とは異なる領域）である。
【００４５】
以上のように、本システムＳにおけるコモンサーバ１は、指定個人情報と非指定個人情報とを、それぞれ異なる記憶部（第一記憶部１３及び第二記憶部１４）に記憶している。また、第一記憶部１３及び第二記憶部１４には、いずれもキー情報としての情報Ｍ２が記憶されている。これにより、Ａさんのユーザ端末２から発信された投稿情報のうち、第一記憶部１３に記憶された指定個人情報と、第二記憶部１４に記憶された非指定個人情報とは、情報Ｍ２を介して紐付けられるようになる。
【００４６】
情報送信部１５は、Ｂさんのユーザ端末２に向けて情報を送信する。より詳しく説明すると、Ｂさんのユーザ端末２が情報送信要求を発すると、情報送信部１５は、かかる要求を受信し、当該要求の内容を解析する。そして、情報送信部１５は、第二記憶部１４に記憶された情報（非指定個人情報）の中から、上記情報送信要求の解析結果に応じた情報を読み出す。その後、情報送信部１５は、読み出した非指定個人情報をＢさんのユーザ端末２に向けて送信する。この結果、Ｂさんのユーザ端末２は、通信ネットワーク３経由で上記の非指定個人情報を受信し、同情報を音声表示するようになる。
【００４７】
なお、情報送信要求の発信は、Ｂさんがキーワードを選定し、Ｂさんのユーザ端末２がその選定結果を受け付けることによってなされる。つまり、情報送信要求とは、Ｂさんが選定したキーワードを含む情報の送信要求のことであり、情報送信部１５は、第二記憶部１４に記憶された情報の中から、上記キーワードを含む情報を検索し、ヒットした情報をＢさんのユーザ端末２に向けて送信する。
【００４８】
ちなみに、本実施形態では、Ｂさんのユーザ端末２からの情報送信要求を受け付けることをトリガーとして、第二記憶部１４に記憶された情報（非指定個人情報）を送信することとしたが、これに限定されるものではない。非指定個人情報を送信するケースとしては、上記の情報送信要求を受信した際に送信するケースの他に、下記のケースが考えられる。
（１）あるユーザ端末２が送信した投稿情報中の非指定個人情報を、あるユーザ端末２と対応付けられたユーザ端末２に向けて自動送信するケース
（２）あるユーザ端末２が送信した投稿情報中の非指定個人情報を、当該非指定個人情報と同様の非指定個人情報を含む投稿情報を送信したユーザ端末２に向けて自動送信するケース
【００４９】
上記（１）のケースについて具体例を挙げて説明すると、例えば、「野球がすき」という非指定個人情報を含む投稿情報がＡさんのユーザ端末２から送信されたとする。この場合、情報配信部１５は、当該非指定個人情報を、Ａさんのユーザ端末２と対応付けられたユーザ端末２（例えば、Ａさんが指定したユーザのユーザ端末２、あるいはＡさんと同じマンションに住むユーザのユーザ端末２）に向けて自動送信する。なお、本ケースにおいて、非指定個人情報を送信する際には、同様の非指定個人情報を含む投稿情報についての受信履歴、若しくは当該受信履歴に準じた情報（例えば「このマンションには野球好きの人が３人います」等の文字情報）が併せて送信されるとよい。
【００５０】
上記（２）のケースについて具体例を挙げて説明すると、例えば、「野球がすき」という非指定個人情報を含む投稿情報がＡさんのユーザ端末２から送信されたとする。この場合、情報配信部１５は、当該非指定個人情報を、Ａさんと同じマンションに住むユーザのユーザ端末２のうち、同様の非指定個人情報を含む投稿情報を送信したユーザ端末２（つまり、過去に「野球がすき」という情報を含む投稿情報を送信したユーザ端末２）のみに向けて自動送信する。なお、本ケースにおいて、非指定個人情報を送信する際には、同様の非指定個人情報を含む投稿情報についての受信履歴、若しくは当該受信履歴に準じた情報（例えば「このマンションには野球好きの人が３人います」等の文字情報）が併せて送信されるとよい。
【００５１】
変更部１６は、Ａさんのユーザ端末２から発信された投稿情報から抽出した指定個人情報のうち、第一記憶部１３に記憶し続ける情報を必要に応じて変更する。すなわち、本実施形態では、第一記憶部１３に記憶される指定個人情報が段階的に変化することになっている。
【００５２】
以下、第一記憶部１３に記憶される情報を段階的に変える手順について図６を参照しながら具体的に説明する。図６は、第一記憶部１３及び第二記憶部１４の各々に記憶される情報が段階的に変化する状況を示した図である。具体的に説明すると、当初の段階、厳密には、Ａさんのユーザ端末２から投稿情報を受信した直後の段階では、投稿情報のうち、情報Ｍ２〜Ｍ６が指定個人情報として第一記憶部１３に記憶される。一方、上記の投稿情報中、非指定個人情報である情報Ｍ１は、第二記憶部１４に記憶され、Ｂさんのユーザ端末２に向けて送信される。その後、所定の条件（以下、変更条件）が満たされると、これをトリガーとして、変更部１６が、Ｂさんのユーザ端末２に向けて送信済みの非指定個人情報と紐付けられた指定個人情報のうち、第一記憶部１３に記憶し続ける情報を変更する。
【００５３】
より詳しく説明すると、本実施形態では二つの変更条件が設定されている。そして、第一の変更条件が満たされると、図６に示すように、変更部１６は、Ｂさんのユーザ端末２に向けて送信済みの情報Ｍ１と紐付けられた指定個人情報、すなわち情報Ｍ３〜Ｍ６のうち、情報Ｍ３〜Ｍ５を引き続き第一記憶部１３に記憶する。その一方で、変更部１６は、第一記憶部１３に記憶し続ける情報から外れた情報Ｍ６を、非指定個人情報として第二記憶部１４に記憶する。
【００５４】
以上のように第一の変更条件が満たされると、当初非開示とされていた情報Ｍ３〜Ｍ６のうち、家族構成情報である情報Ｍ６の開示が許可されるようになる。したがって、以降は、Ａさんのユーザ端末２から受信した投稿情報中、Ｂさんのユーザ端末２に向けて送信されて表示される情報には、情報Ｍ１に加えて、情報Ｍ６が含まれるようになる。
【００５５】
さらに、第二の変更条件が満たされると、図６に示すように、変更部１６は、Ｂさんのユーザ端末２に向けて送信済みの情報Ｍ１と紐付けられた指定個人情報である情報Ｍ３〜Ｍ５のうち、情報Ｍ３及びＭ４を引き続き第一記憶部１３に記憶する。その一方で、変更部１６は、第一記憶部１３に記憶し続ける情報から外れた情報Ｍ５を、非指定個人情報として第二記憶部１４に記憶する。このように第二の変更条件が満たされると、当初非開示とされていた情報Ｍ５（年齢性別情報）の開示が許可されるようになる。この結果、以降、Ａさんのユーザ端末２から受信した投稿情報中、Ｂさんのユーザ端末２に向けて送信されて表示される情報には、情報Ｍ１及びＭ６に加えて、情報Ｍ５が更に含まれるようになる。
【００５６】
以上のように本実施形態では、当初非開示とされていた個人情報（指定個人情報）の一部が段階的に開示されるようになる。これにより、ユーザが、自分と同じ属性（家族構成や年齢等）にあり共通の関心を持つ相手を容易に見つけることが可能となる。例えば、Ａさんの投稿情報（厳密には、コメント本文を示す情報Ｍ１）中にＢさんが関心を持つ話題（キーワード）が含まれていたとする。かかる場合において、Ａさん及びＢさんの両者の家族構成が共通していることを知れば、ＢさんがＡさんとの交流を積極的に図るようになると期待される。
【００５７】
なお、本実施形態では、当初指定個人情報として第一記憶部１３に記憶された情報Ｍ３〜Ｍ６のうち、情報Ｍ５及びＭ６が、第一記憶部１３に記憶し続ける情報から外れる候補となっているが、これに限定されるものではない。すなわち、第一記憶部１３に記憶し続ける情報については任意に変更することが可能であるが、個人特定能が高い情報（例えば、氏名情報Ｍ４）については第一記憶部１３に記憶し続けるのが好適である。
【００５８】
また、本実施形態では、図６に示すように第一記憶部１３に記憶される指定個人情報（すなわち、非開示とされる個人情報）が二段階で変更することとしたが、変更の回数については二回に限定されるものではなく、任意の回数に設定可能である。
【００５９】
また、変更条件については、特に制限されるものではなく、自由に設定することが可能である。例えば、Ｂさんのユーザ端末２において表示されたＡさんに関する情報の表示回数が所定回数以上となること、あるいは、一般的なソーシャルネットワークサービスで採用されている「友達申請」においてＢさんがＡさんの友達として承認されることを変更条件としてもよい。
【００６０】
＜＜情報表示フローについて＞＞
以下、本システムＳによる情報表示フローについて図７を参照しながら説明する。図７は、情報表示フローの流れを示す図である。また、以降の説明においても、Ａさんのユーザ端末２から投稿情報を発信し、Ｂさんのユーザ端末２側で情報を表示するケースを例に挙げて説明することとする。
【００６１】
なお、以下に説明する情報表示フローでは、本発明の情報表示方法が適用されている。すなわち、情報表示フロー中の各ステップは、本発明の情報表示方法を構成する各工程に相当する。
【００６２】
情報表示フローは、Ａさんのユーザ端末２が投稿情報を発信するところから始まる（Ｓ００１）。具体的に説明すると、Ａさんがユーザ端末２に向かって自分の興味、自分の行動予定又は行動履歴、若しくは自分の家族や知人等に関する情報を話す。すると、Ａさんのユーザ端末２は、その話の内容を認識し、当該内容（すなわち、コメント本文）を示すデジタル情報を生成する。一方、ユーザ端末２は、上記の情報に付属情報である情報識別情報やＡさんの個人情報を付加し、これらの情報を投稿情報としてまとめた上でＢさんのユーザ端末２に向けて送信する。
【００６３】
コモンサーバ１は、通信ネットワーク３経由でＡさんのユーザ端末２から投稿情報を受信すると（Ｓ００２）、当該投稿情報を仕分けて指定個人情報と非指定個人情報とに分離する（Ｓ００３）。具体的に説明すると、投稿情報中、Ａさんのユーザ端末２が付加した個人情報である情報Ｍ３〜Ｍ６を指定個人情報とし、コメント本文を示す情報Ｍ１を非指定個人情報とする。その後、第一記憶部１３（具体的には、ハードディスクドライブ１ｃにおける第一の記憶領域）に情報Ｍ３〜Ｍ６を記憶し、第二記憶部１４（具体的には、ハードディスクドライブ１ｃにおける第二の記憶領域）にＭ１を記憶する（Ｓ００４）。この際、第一記憶部１３及び第二記憶部１４には、それぞれ、投稿情報の識別情報である情報Ｍ２がキー情報として保存される。したがって、指定個人情報としての情報Ｍ３〜Ｍ６と、非指定個人情報としての情報Ｍ１とは、情報Ｍ２を介して互いに紐付けられた状態で、対応する記憶部に記憶されることになる。
【００６４】
なお、本実施形態では、コモンサーバ１が投稿情報の仕分けを行うこととしたが、これに限定されず、Ａさんのユーザ端末２側で投稿情報を予め仕分けし、指定個人情報と非指定個人情報とを別々に発信してもよい。かかる場合には、指定個人情報及び非指定個人情報を互いに対応付けた状態（紐付けした状態）で送信することになる。
【００６５】
そして、Ｂさんのユーザ端末２から情報送信要求が発せられると（Ｓ００５）、コモンサーバ１は、かかる要求に応じて、Ａさんのユーザ端末２から受信した投稿情報中、第二記憶部１４に記憶された非指定個人情報を送信するようになる（Ｓ００６）。
【００６６】
具体的に説明すると、Ｂさんは、自分が興味を持つ話題に関連するキーワードを選定し、当該キーワードをユーザ端末２に向かって話す。すると、Ｂさんのユーザ端末２は、そのキーワードを認識し、当該キーワードを含む情報の送信をコモンサーバ１に対して要求するようになる。コモンサーバ１は、かかる要求を受け付けると、当該要求を解析して上記のキーワードを特定し、第二記憶部１４に記憶された情報Ｍ１中、キーワードを含む情報を検索する。そして、コモンサーバ１は、検索においてヒットした情報Ｍ１をＢさんのユーザ端末２に向けて送信する。
【００６７】
その後、Ｂさんのユーザ端末２は、コモンサーバ１から送信されてきた情報Ｍ１を受信すると、当該情報Ｍ１を展開し、当該情報Ｍ１の内容を音声表示する（Ｓ００７、Ｓ００８）。これにより、Ｂさんは、ユーザ端末２を通じてＡさんの投稿情報中、非指定個人情報に相当する情報Ｍ１、すなわちＡさんが発話した内容を確認することが可能となる。
【００６８】
一方、Ａさんの投稿情報中の情報Ｍ１がＢさんのユーザ端末２に向けて送信された後に変更条件が成立すると（Ｓ００９）、コモンサーバ１が、Ａさんの投稿情報のうち、当初指定個人情報として第一記憶部１３に記憶された情報Ｍ３〜Ｍ６（換言すると、情報Ｍ１と紐付けられた情報）について、第一記憶部１３に記憶し続ける情報を変更する（Ｓ０１０）。より具体的に説明すると、Ａさんの投稿情報中の情報Ｍ１がＢさんのユーザ端末２に向けて送信された後に第一の変更条件が成立すると、コモンサーバ１は、第一記憶部１３に記憶された情報Ｍ３〜Ｍ６のうち、情報Ｍ３〜Ｍ５を第一記憶部１３に記憶し続ける。その一方で、コモンサーバ１は、第一記憶部１３に記憶し続ける情報から外れた情報Ｍ６を、非指定個人情報として第二記憶部１４に記憶する。この結果、コモンサーバ１は、以降にＡさんの投稿情報中の情報Ｍ１をＢさんのユーザ端末２に向けて送信する際には、Ａさんの家族構成を示す情報Ｍ６と共に送信するようになる。
【００６９】
また、その後、第二の変更条件が更に成立すると、コモンサーバ１は、第一記憶部１３に記憶された情報Ｍ３〜Ｍ５のうち、情報Ｍ３及びＭ４を第一記憶部１３に記憶し続ける。その一方で、コモンサーバ１は、第一記憶部１３に記憶し続ける情報から外れた情報Ｍ５を、非指定個人情報として第二記憶部１４に記憶する。この結果、コモンサーバ１は、以降にＡさんの投稿情報中の情報Ｍ１及びＭ６をＢさんのユーザ端末２に向けて送信する際には、Ａさんの年齢・性別を示す情報Ｍ５と共に送信するようになる。
【００７０】
以上までに説明してきた情報表示フローによれば、同一マンション内に住む複数のユーザが発信した各投稿情報について、非開示とすべき個人情報を的確に保護しつつ、それ以外の情報（すなわち、非指定個人情報）を円滑に配信することが可能となる。さらに、非開示とする範囲を段階的に見直すことで、ユーザにとってより使い勝手のよいものとなる。つまり、非開示範囲を可変とすれば、情報を発信するユーザとその情報を表示する相手ユーザとの関係・関心度合いに応じて非開示範囲を適宜変更することが可能となる。これにより、各ユーザは、自分の投稿情報に興味を持ってくれた相手ユーザとの交流を活性化させる上で、当初非開示としていた個人情報の一部を開示することが可能となる。また、相手ユーザの立場から考えると、自分と同じ属性（家族構成や年齢等）にあり共通の関心を持つユーザを容易に見つけることが可能となる。
【００７１】
以上に述べた効果により、本システムＳ及びこれを用いた映像表示フローにより、同一マンション内に住む住人同士が、プライベートな情報等を隠しつつ情報交換を行うことが可能となり、以て住人同士の交流の活性化やコミュニティ形成の促進を図ることが可能となる。
【符号の説明】
【００７２】
１  コモンサーバ（サーバ）
１ａ  ＣＰＵ
１ｂ  メモリ
１ｃ  ハードディスクドライブ
１ｄ  通信用インタフェース
２  ユーザ端末（端末）
３  通信ネットワーク
１１  情報受信部
１２  情報仕分部
１３  第一記憶部
１４  第二記憶部
１５  情報送信部
１６  変更部
Ｓ  本システム（情報表示システム）
【図１】
0006537816.tif 000002
【図２】
0006537816.tif 000003
【図３】
0006537816.tif 000004
【図４】
0006537816.tif 000005
【図５】
0006537816.tif 000006
【図６】
0006537816.tif 000007
【図７】
0006537816.tif 000008